(57)【要約】  本発明は、家具本体（６）に対して移動できるように保持される家具部品（９）のエジェクタユニット（１）であって、エジェクタ要素（４）を有する電気的に駆動されるエジェクタ装置（３）と、該エジェクタ装置（３）に給電する電源ユニットとを有し、エジェクタ装置（３）と電源ユニットとを組み合わせて収容するためのハウジング（２）を有するエジェクタユニット（１）に関する。【選択図】  図４
2012516702.tif 000002
【特許請求の範囲】
【請求項１】
家具本体（６）上で移動できるように取り付けられる家具部品（９）のエジェクタユニット（１）であって、エジェクタ要素（４）を有する電気的に駆動できるエジェクタ装置（３）と、前記エジェクタ装置（３）に給電する電源ユニットとを有するエジェクタユニット（１）において、
前記エジェクタ装置（３）と前記電源ユニットとを共に収容するためのハウジング（２）を有することを特徴とする、エジェクタユニット（１）。
【請求項２】
前記ハウジング（２）が複数部品、特に２部品で構成され、前記電源ユニットが第１のハウジング部（１２）内に配置され、前記エジェクタ装置（３）が第２のハウジング部（１３）内に配置されることを特徴とする、請求項１に記載のエジェクタユニット（１）。
【請求項３】
前記第１のハウジング部（１２）および前記第２のハウジング部（１３）が接続プレート（１４）に接続されることを特徴とする、請求項２に記載のエジェクタユニット（１）。
【請求項４】
前記ハウジング（２）が、少なくとも１つの別のエジェクタ装置（３）および／または少なくとも１つの制御端子（３２）を取り付けるための差し込み装置（２９）を有することを特徴とする、請求項１〜３のいずれか一項に記載のエジェクタユニット（１）。
【請求項５】
前記第１のハウジング部（１２）および前記第２のハウジング部（１３）が互いに取り外し可能に接続されることを特徴とする、請求項２〜４のいずれか一項に記載のエジェクタユニット（１）。
【請求項６】
前記第１のハウジング部（１２）および前記第２のハウジング部（１３）が互いにネジで留められることを特徴とする、請求項５に記載のエジェクタユニット（１）。
【請求項７】
家具本体（６）と、前記家具本体（６）内でまたは前記家具本体（６）上で移動できるように配置される少なくとも１つの家具部品（１６）、特に引き出しとを有する家具（１５）において、請求項１〜６のいずれか一項に記載のエジェクタユニット（１）が前記家具本体（６）に配置されることを特徴とする、家具（１５）。
【請求項８】
前記エジェクタユニット（１）が前記家具本体（６）の後壁（１０）に取り付けられることを特徴とする、請求項７に記載の家具（１５）。
【請求項９】
前記エジェクタユニット（１）が前記家具本体（６）の底板（７）よりも上側に取り付けられることを特徴とする、請求項８に記載の家具（１５）。
【請求項１０】
前記電源ユニットが配置される前記ハウジング部（１２）が前記家具本体（６）の前記底板（７）内に組み込まれることを特徴とする、請求項７または８に記載の家具（１５）。
【請求項１１】
前記電源ユニットが配置される前記ハウジング部（１２）が、前記家具本体（６）の前記底板（７）の下側に取り付けられるとともに、前記エジェクタ装置（３）が配置される前記ハウジング部（１３）に対して前記底板（７）を介して接続されることを特徴とする、請求項７または８に記載の家具（１５）。
【請求項１２】
前記エジェクタユニット（１）が、前記家具本体（６）の背面（１０）に水平に配置される支持要素（５）に取り付けられることを特徴とする、請求項７または８に記載の家具（１５）。
【請求項１３】
前記エジェクタユニット（１）が、前記支持要素（５）上で水平に移動できるように取り付けられることを特徴とする、請求項１２に記載の家具（１５）。
【請求項１４】
前記支持要素（５）が伸縮ロッドとして設けられることを特徴とする、請求項１２に記載の家具（１５）。
【請求項１５】
前記支持要素（５）の支持ブラケット（３３）がＣ形状断面として設けられることを特徴とする、請求項１２に記載の家具（１５）。
【請求項１６】
前記支持要素（５）が、前記家具本体（６）の第１の側壁（８）と第２の側壁（９）とに対して取り付けられることを特徴とする、請求項１２〜１５のいずれか一項に記載の家具（１５）。
【請求項１７】
前記支持要素（５）が第１の端部品および第２の端部品（１７）を有し、各端部品が、前記家具本体（６）の前記第１の側壁（８）および前記第２の側壁（９）に取り付けるために前記家具本体（６）の前記側壁（８、９）の凹部（２８）に差し込むことができる少なくとも１つの接続ピン（１９）を有することを特徴とする、請求項１６に記載の家具（１５）。
【請求項１８】
前記支持要素（５）の前記端部品（１７）が複数部品で構成されていることを特徴とする、請求項１５〜１７のいずれか一項に記載の家具（１５）。
【請求項１９】
前記支持ブラケット（３３）の端部領域がＴ部品（２１）として形成され、該Ｔ部品のそれぞれが、前記Ｔ部品（２１）を取り囲むＴ形状部（２３）を有する端部品（１７）に係合し、前記端部品（１７）が、前記Ｔ形状部（２３）と反対側に配置される前記接続ピン（１９）を介して前記家具本体（６）の前記側壁（８、９）に配置されることを特徴とする、請求項１８に記載の家具（１５）。
【請求項２０】
前記支持ブラケット（３３）を前記端部品（１７）にロックするために固定要素（１８）が設けられ、前記固定要素が、それぞれの前記端部品（１７）の前記Ｔ形状部（２３）を覆って前記端部品（１７）に固定可能なプレート（２４）、および、前記Ｔ形状部（２３）に差し込むことができるウェブ（２５）として設けられることを特徴とする、請求項１９に記載の家具（１５）。
【発明の詳細な説明】
【技術分野】
【０００１】
本発明は、請求項１の前文に係る、家具本体上で移動できるように取り付けられる家具部品のエジェクタ（押し出し）ユニット、および、請求項６の前文に係る家具に関する。
【背景技術】
【０００２】
家具の本体には、好ましくは後壁に、引き出しなどの移動される家具部品用の電動エジェクタ装置を配置させるためのアルミニウム横材が設置されるのが好ましい。これらの横材はエジェクタ装置の連続的な垂直位置決めを可能にし、それにより、異なる実施形態の移動家具部品、特に引き出しを引き込むことができる。エジェクタ装置の必要とされる電圧供給は、家具本体の外側に配置される対応する電源ユニットを介して行なわれる。
【０００３】
従来のエジェクタユニットは、家具部品に対する該エジェクタユニットの設置が、多様な部品が原因で、非常に時間を要し、ひいてはコストがかかるという欠点を有する。
【発明の概要】
【発明が解決しようとする課題】
【０００４】
本発明の目的は、家具部品に対して迅速にかつ容易に設置できる、特に既存の家具に後付けすることもできる、家具本体上を移動できるように取り付けられる家具部品のエジェクタユニットを提供することである。
【課題を解決するための手段】
【０００５】
この目的は、請求項１の特徴を有する家具本体上を移動できるように取り付けられる家具部品のエジェクタユニット、および、請求項６の特徴を有する家具によって達成される。
【０００６】
本発明の有利な実施が従属請求項の主題である。
【０００７】
本発明によれば、エジェクタユニットは、エジェクタ装置と電源ユニットとを共に収容するためのハウジングを有する。したがって、そのようなエジェクタユニットは特に単一装置として使用できる。また、そのようなエジェクタユニットは、典型的なエジェクタユニットよりも高い費用効率で製造できる。
【０００８】
特別な実施形態によれば、エジェクタユニットのハウジングは、少なくとも１つの更なるエジェクタ要素を取り付けるための差し込み装置（Ｓｔｅｃｋｖｏｒｒｉｃｈｔｕｎｇ）を有して設けられる。したがって、別個の電源ユニットを伴わない更なるエジェクタ装置に対するエジェクタユニットの接続を簡単な手段を使用して行なうことができる。更なるエジェクタ装置は、それらが同じ水平面上に配置される場合には、例えば１、２、３の別個独立の端子を介して同期されてもよい。
【０００９】
本発明に係る家具は、請求項１〜５のいずれか一項に係る家具本体に配置されるエジェクタユニットによって特徴付けられる。したがって、家具には費用効率が高いエジェクタユニットが設けられ、エジェクタユニットを、簡単な方法で家具に設置でき、特に、エジェクタユニットを伴わない家具に後付けすることができる。
【００１０】
好ましい変形実施形態によれば、エジェクタユニットは家具本体の底板よりも上側に取り付けられる。家具にはエジェクタユニットが設けられ、その底板を床の上側に任意に近接して配置させることができる。
【００１１】
別の変形実施形態によれば、電源ユニットが配置されるハウジング部が家具本体の底板内に組み込まれる。したがって、底板よりも下側の自由空間へ延びる設置深さを最小限に抑えることができる。対応する厚さの底板では、例えば軽量構造のプレートの場合には、底板の下側カバー層を突き抜けることなく電源ユニットを受けることも考えられる。
【００１２】
本発明の更なる好ましい態様によれば、エジェクタユニットは、家具本体の背面に水平に配置される支持要素に取り付けられる。そのような支持要素は特に家具本体の側壁の穴パターンにロック可能であり、それにより、エジェクタユニットを家具本体の異なる高さに容易に取り付けることができる。標準的な市販の穴パターンは、例えば３２ｍｍまたは２５ｍｍの穴間隔を有する。
【００１３】
以下、添付図面に基づいて本発明の典型的な実施形態について説明する。
【図面の簡単な説明】
【００１４】
【図１】本発明に係るエジェクタユニットの典型的な実施形態の斜視図を示している。
【図２】本発明に係るエジェクタユニットの典型的な実施形態の斜視図を示している。
【図３】本発明に係るエジェクタユニットの典型的な実施形態の斜視図を示している。
【図４】家具本体上で移動できるように取り付けられる家具部品が取り外された家具本体の斜視図であって、家具本体内に配置されるエジェクタユニットの一実施形態を示している。
【図５】家具本体上で移動できるように取り付けられる家具部品を有する家具の斜視図であり、押し出し動作中のある位置を示している。
【図６】家具本体上で移動できるように取り付けられる家具部品を有する家具の斜視図であり、押し出し動作中の別の位置を示している。
【図７】電源ユニットを伴わない、水平支持要素に取り付けられるエジェクタユニットの斜視図を示している。
【図８】図７に示される支持要素およびエジェクタユニットの構成の側断面図を示している。
【図９】家具本体の側壁に取り付けるための支持要素の端部品の分解図を示している。
【図１０】家具本体の側壁に取り付けるための支持要素の端部品の分解図を示している。
【図１１】エジェクタユニットが取り付けられた伸縮ロッドとして設けられる支持要素の斜視図を示している。
【図１２】エジェクタユニットが取り付けられていない伸縮ロッドとして設けられる支持要素の斜視図を示している。
【発明を実施するための形態】
【００１５】
図の以下の説明において、上端、下端、左、右、前、後などの用語は、専ら、エジェクタユニット、家具、および、それぞれの図で選択される他の物体の典型的な例示および位置に関連する。これらの用語は限定的に理解されるべきではない。すなわち、これらの基準は、様々な動作位置で変わることができ、または、鏡面対称構造等により変わることができる。
【００１６】
図１〜図３に示されるように、エジェクタユニット１はハウジング２を備えており、この場合、エジェクタレバー４を有するエジェクタ装置３が第２のハウジング部１３内に配置され、また、エジェクタ装置３の電力供給のため、特にエジェクタ装置３のエジェクタレバー４を駆動させる電気モータの電力供給のための電源ユニット（図示せず）が第１のハウジング部１２内に収容される。
【００１７】
図１〜図３に示されるエジェクタユニット１の変形実施形態において、エジェクタユニット１のハウジング２は２部品で形成される。電源ユニットは既に述べたように第１のハウジング部１２内に収容され、また、エジェクタ装置３は第２のハウジング部１３内に配置される。エジェクタユニットの変形実施形態では、ハウジング部１２、１３を互いに接続する接続プレート１４が、電源ユニットが収容される第１のハウジング部１２とエジェクタ装置３が収容される第２のハウジング部１３との間に配置される。この接続プレート１４は、図１〜図３に示される変形実施形態では第２のハウジング部１３の方向で第１のハウジング部１２を覆い、したがって、とりわけ電源ユニットハウジング１２のシールプレートとして使用される。したがって、流出する液体は電源ユニットの設置空間内に侵入できない。そのため、水接続部の近傍、例えばシンクの下側に直接に配置される家具においてエジェクトユニットを使用することができる。エジェクタユニットは、ここでは、特に、廃棄容器用の引き出しおよび台所用品を洗浄するための引き出しを駆動させるために使用できる。接続プレート１４は、締結具３１、例えばネジを介して、第１のハウジング部に接続される。
【００１８】
図１に示される変形実施形態では、エジェクタユニット１が家具本体６の底板７に組み込まれ、それにより、接続プレート１４が家具本体６の底板７の内面と平行に配置される。接続プレート１４の幅および／または深さは底板７の凹部よりも大きい寸法に設定され、それにより、接続プレートがエジェクタユニットを底板７上に支持するとともに、例えば接続プレート１４に設けられるドリル穴３４を介して接続プレート１４を底板１７にネジで留めることができる。
【００１９】
図２に示される構成において、第１のハウジング部１２は、家具本体６の底板７の下面上に平行に配置されるとともに、底板を貫通する締結具３１を使用して底板７を介して第２のハウジング部１２、特に接続プレート１４に接続される。締結具３１によってもたらされる底板７に対する摩擦ロック接続および／または形状適合接続により、ドリル穴３４を介した締結を随意的に省くことさえできる。該構成では、図１および図３の他の構成と同様に、エジェクタ装置３に対する電源ユニットの電気的な接続は、接続プレート１４内または接続プレート１４上の接点経路（図示せず）に対する電源ユニット内の接点経路（図示せず）の電気的な接続をもたらす少なくとも２つの導電締結具３１を介して行なうことができる。接続プレート１４内または接続プレート１４上の接点経路（図示せず）は、第２のハウジング部１３を介してエジェクタ装置に電気的に接続される。また、接点経路および締結具３１を介した電気伝導を伴わずにケーブル３０を介して電源ユニットからエジェクタ装置３への電気的な接続をもたらすこともできる。ケーブル３０は、ここでは、底板７の更なるドリル穴を介する代わりに、底板７を貫通する断面が更に大きい通路を通じて（図示せず）締結具３１に隣接して案内され得ることが好ましい。
【００２０】
図３は、底板７の内面と平行に配置される完全なエジェクタユニット１を示していおり、第１のハウジング部１２は底板７に侵入しないまたは底板７を貫通しない状態となっている。ここでは、図１〜図３における請求項に記載される構成例の本発明に係るエジェクタユニット１のただ１つの変形実施形態を保持するため、ドリル穴３４に締結されるアングル形状部（図示せず）を介した底板７に対する締結が考えられる。
【００２１】
エジェクタユニット１の更なる変形実施形態が図４に示されている。ハウジング２は、エジェクタ装置３と、ここでは一体形成されるハウジング２の形態を成す電源ユニットとの両方を囲い込む。エジェクタ装置は、家具本体６の背面１０の領域で、該背面に水平に配置される支持要素５に取り付けられる。支持要素５に対するエジェクタユニット１の取り付けは、エジェクタユニット１が支持要素５上で水平に移動できかつ所望の位置で固定され得るように実施されるのが好ましい。
【００２２】
ハウジング２は、少なくとも１つの更なるエジェクタ装置３を取り付けるための差し込み装置２９を有することが好ましく、それにより、電源ユニットを有する１つのエジェクタユニット１だけを家具１５に設置すれば済み、また、エジェクタユニット１のこの電源ユニットによりケーブル３０を介して随意的な更なるエジェクタ装置に給電できる。更なるエジェクタ装置は、電源ユニットの電流をＯＮに切り換えることによりケーブル３０を介して作動されてもよく、または、それらが同じ面上に配置される場合には同期切り換えパルスを使用する別個に制御される端子３２を介して作動されてもよい。
【００２３】
図５および図６は、押し出し動作を説明するために、本発明に係る家具１５内に取り付けられるここでは引き出しの形態を成す可動家具部品１６を様々な動作位置で示しており、図６では、引き出し１６が、エジェクタ装置３のエジェクタ要素４によって家具本体６から特定の距離だけ押し出されている。
【００２４】
図７〜図１２に基づいて、エジェクタユニット１が取り付けられる支持要素５の異なる変形例について更に詳しく説明する。図７〜図１０は支持要素５の第１の好ましい変形例を示している。この変形例では、図７および図８に示されるように、支持要素５は、Ｃ形状断面の支持ブラケット３３と、両側の正面に配置される端部品１７とを備える。支持要素５は、端部品１７を使用して家具本体６の側壁８、９に取り付けることができる。そのため、この目的のために家具本体６の側壁８、９に設けられる凹部２８内に差し込むことができる少なくとも１つの接続ピン１９が各端部品１７に配置される。これらの凹部２８は、家具壁においては典型的であり補助要素の取り付けを様々な位置で容易に可能とする穴パターンであることが好ましい。図９および図１０に示されるように、支持ブラケット５はその端部領域にＴ部品２１を有して設けられ、該Ｔ部品は端部品１７のＴ形状部２３内に挿入できる。接続ピン１９は、Ｔ形状部２３と反対の端部品１７の側に配置される。支持ブラケット５の端部品１７に対する取り付けを確保するために固定要素１８が設けられ、固定要素は、プレート２４と端部品１７のＴ形状部２３に差し込むことができるウェブ２５とを有しており、固定要素１８の凹部２０と端部品１７の凹部２２とを介して互いに螺合され得ることが好ましい。固定要素１８のプレート２４は、端部品１７のＴ形状部２３を家具本体内部に向けて閉じ、一方、端部品１７のＴ形状部２３の反対側は家具本体６の後壁１０に押し付き、それにより、支持ブラケット５が固定要素１８の締結後に端部品１７に強固に保持される。
【００２５】
支持要素の別の変形実施形態が図１１および図１２に示されている。該支持要素は、ここでは、家具本体６の側壁８、９に対してマウント２７により保持される伸縮ロッド２６として設けられる。好ましくはマウント２７のうちの１つは多角形形状部を有して設けられ、該多角形形状部は、伸縮ロッド２６の対応する多角形端部と共に、伸縮ロッド２６の軸方向のねじれを防止する。伸縮ロッド２６の使用により、様々な幅の家具に対応するために、１つのタイプの支持要素だけを用意しておけばよい。
【符号の説明】
【００２６】
１  エジェクタユニット
２  ハウジング
３  エジェクタ装置
４  エジェクタ要素
５  支持要素
６  家具本体
７  底板
８  側壁
９  側壁
１０  後壁
１１  引き出しガイド
１２  第１のハウジング部
１３  第２のハウジング部
１４  接続プレート
１５  家具
１６  引き出し
１７  端部品
１８  固定要素
１９  接続ピン
２０  ドリル穴
２１  Ｔ部品
２２  ドリル穴
２３  Ｔ形状部
２４  プレート
２５  ウェブ
２６  伸縮ロッド
２７  マウント
２８  凹部
２９  差し込み装置
３０  ケーブル
３１  締結具
３２  制御端子
３３  支持ブラケット
３４  ドリル穴
【図１】
2012516702.tif 000003
【図２】
2012516702.tif 000004
【図３】
2012516702.tif 000005
【図４】
2012516702.tif 000006
【図５】
2012516702.tif 000007
【図６】
2012516702.tif 000008
【図７】
2012516702.tif 000009
【図８】
2012516702.tif 000010
【図９】
2012516702.tif 000011
【図１０】
2012516702.tif 000012
【図１１】
2012516702.tif 000013
【図１２】
2012516702.tif 000014
【国際調査報告】
2012516702.tif 000015
2012516702.tif 000016
2012516702.tif 000017
2012516702.tif 000018